(57)【要約】【課題】  波長可変フィルタを用いずにパワースプリッタ型ＷＤＭ−ＰＯＮおよび搬送波供給方式に対応するカラーレスＯＮＵを実現する。【解決手段】  局側のＯＬＴと、複数のユーザ側のＯＮＵがパワースプリッタおよび光ファイバ伝送路を介して接続された光通信システムにおいて、各ＯＮＵは少なくとも１つのサブキャリア周波数が割り当てられ、そのサブキャリア周波数のＲＦ搬送波を送信信号で変調したＲＦ変調信号を生成するＲＦ変調手段と、局側のＷＤＭ光源から出力された複数の波長成分を有するＣＷ光をパワースプリッタを介して入力し、ＲＦ変調信号でＣＷ光を変調した変調光を上り信号としてＯＬＴに送信する光変調器とを含む送信器を備え、ＯＬＴは、各ＯＮＵからそれぞれ送信された上り信号をサブキャリア多重された上り信号として電気信号に変換する受光器と、各ＯＮＵのサブキャリア周波数に基づいて電気信号から各ＯＮＵの送信信号を復調する各ＯＮＵ対応のＲＦ復調器とを含む受信器を備える。【選択図】        図１
2010114623.tif 000002
【特許請求の範囲】
【請求項１】
局側に配置される光加入者線終端盤（以下「ＯＬＴ」という）と、複数のユーザ側にそれぞれ配置される光ネットワーク終端装置（以下「ＯＮＵ」という）がパワースプリッタおよび光ファイバ伝送路を介して接続された光通信システムにおいて、
前記各ＯＮＵは、互いに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、前記局側のＷＤＭ光源から出力された複数の波長成分を有するＣＷ光を前記パワースプリッタを介して入力し、前記ＲＦ変調信号で前記ＣＷ光を変調した変調光を上り信号として前記ＯＬＴに送信する光変調器とを含む送信器を備え、
前記ＯＬＴは、前記各ＯＮＵからそれぞれ送信された前記上り信号を前記パワースプリッタを介してサブキャリア多重された上り信号として受光して電気信号に変換する受光器と、前記各ＯＮＵに割り当てられたサブキャリア周波数に基づいて前記電気信号から前記各ＯＮＵの送信信号を復調する各ＯＮＵ対応のＲＦ復調器とを含む受信器を備えた
ことを特徴とする光通信システム。
【請求項２】
請求項１に記載の光通信システムにおいて、
前記各ＯＮＵの前記光変調器は、前記上り信号を増幅する光増幅器を含む構成である
ことを特徴とする光通信システム。
【請求項３】
請求項１に記載の光通信システムにおいて、
前記ＯＬＴは、前記受光器の前段に、前記複数の波長成分を有する前記上り信号が前記光ファイバ伝送路の波長分散によって生じた遅延差を補償する遅延補償器を備えた
ことを特徴とする光通信システム。
【請求項４】
請求項１に記載の光通信システムにおいて、
前記ＯＬＴは、前記複数の波長成分を有する前記上り信号を各波長成分に分波する波長分波器と、前記各ＯＮＵ対応の受光器とを備え、前記波長分波器で分波された各波長成分の上り信号を前記各ＯＮＵ対応の受光器でそれぞれ電気信号に変換し、前記各ＯＮＵ対応のＲＦ復調器で復調する構成である
ことを特徴とする光通信システム。
【請求項５】
請求項１に記載の光通信システムのＯＮＵの送信器において、
前記各ＯＮＵに対して互いに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、
前記局側のＷＤＭ光源から出力された複数の波長成分を有するＣＷ光を前記パワースプリッタを介して入力し、前記ＲＦ変調信号で前記ＣＷ光を変調した変調光を上り信号として前記ＯＬＴに送信する光変調器と
を備えたことを特徴とするＯＮＵの送信器。
【請求項６】
請求項１に記載の光通信システムのＯＬＴの受信器において、
前記各ＯＮＵからそれぞれ送信された前記上り信号を前記パワースプリッタを介してサブキャリア多重された上り信号として受光して電気信号に変換する受光器と、
前記各ＯＮＵに割り当てられたサブキャリア周波数に基づいて前記電気信号から前記各ＯＮＵの送信信号を復調する各ＯＮＵ対応のＲＦ復調器と
を備えたことを特徴とするＯＬＴの受信器。
【請求項７】
請求項１に記載の光通信システムのＯＮＵの上り信号送信方法において、
前記各ＯＮＵに対して互いに異なる少なくとも１つのサブキャリア周波数が割り当てられたＲＦ変調手段が、それぞれ割り当てられたサブキャリア周波数のＲＦ搬送波を送信信号で変調したＲＦ変調信号を生成し、
前記局側のＷＤＭ光源から出力された複数の波長成分を有するＣＷ光を前記パワースプリッタを介して入力する光変調器が、前記ＲＦ変調信号で前記ＣＷ光を変調した変調光を生成し、上り信号として前記ＯＬＴに送信する
ことを特徴とするＯＮＵの上り信号送信方法。
【発明の詳細な説明】
【技術分野】
【０００１】
本発明は、光アクセスシステムの高速化に適する光通信システムに関する。また、本発明は、光通信システムにおけるＯＮＵの送信器、ＯＬＴの受信器、およびＯＮＵの上り信号送信方法に関する。
【背景技術】
【０００２】
光アクセスシステムの高速化は著しく、この５年程度の間に 100倍の高速・広帯域化が進み、ギガビットクラスのブロードバンドサービスがＧＥ−ＰＯＮ（Gigabit Ethernet( 登録商標）−Passive Optical Network)システムの商用導入で経済的に提供されている。さらなる高速・広帯域化に向けた次世代ＰＯＮ技術のアプローチとしては、主に、これまでの延長技術である時間軸上でユーザ多重を行う時間多重（ＴＤＭ）方式と、波長軸上でユーザ多重を行う波長多重（ＷＤＭ）方式があり、後者をＷＤＭ−ＰＯＮと呼んでいる。
【０００３】
図１は、ＷＤＭ−ＰＯＮシステムの構成例を示す（非特許文献１）。
図において、局側に配置されるＯＬＴ(Optical Line Terminal：光加入者線終端盤）１０と、ユーザ側に配置されるＯＮＵ（Optical Network Unit：光ネットワーク終端装置）２０−１〜２０−ｎ（ｎは自然数）とが、光ファイバ伝送路３１、波長スプリッタ３３またはパワースプリッタ３４、ｎ本の光ファイバ伝送路３２を介して１対ｎで接続される。
【０００４】
図１(a) の波長スプリッタ型ＷＤＭ−ＰＯＮでは、ＯＮＵ２０−１〜２０−ｎにそれぞれ対応する波長λd1〜λdnの下り信号は、波長スプリッタ３３で波長分波して各ＯＮＵに伝送される。また、ＯＮＵ２０−１〜２０−ｎからそれぞれ出力される波長λu1〜λunの上り信号は、波長スプリッタ３３で波長合波してＯＬＴ１０に伝送される。
【０００５】
図１(b) のパワースプリッタ型ＷＤＭ−ＰＯＮでは、ＯＮＵ２０−１〜２０−ｎにそれぞれ対応する波長λd1〜λdnの下り信号は、パワースプリッタ３４でｎ分岐して各ＯＮＵに伝送される。各ＯＮＵは、それぞれ対応する波長λd1〜λdnの下り信号を選択して受信する。ＯＮＵ２０−１〜２０−ｎからそれぞれ出力される波長λu1〜λunの上り信号は、パワースプリッタ３４で合流してＯＬＴ１０に伝送される。
【０００６】
ＷＤＭ−ＰＯＮの物理的なトポロジーはパッシブダブルスターで、伝送路である光ファイバを複数のユーザで共用しているが、ユーザごとに異なる波長を割り当てているため、論理的なトポロジーはシングルスターとなっている。このため、伝送路をユーザで共用しながら、他のユーザに影響を与えることなく、ユーザごとに独立にサービスを設定・変更することができる。
【非特許文献１】K.Iwatsuki, J.Kani, H.Suzuki, and M.Fujiwara,"Access and Metro Networks based on WDM Technologies", IEEE J.Lightwave Technol.,Vol.22, No.11, pp.2623-2630,(2004)
【発明の開示】
【発明が解決しようとする課題】
【０００７】
ＷＤＭ−ＰＯＮでは、各ＯＮＵに波長が固定的に割り当てられるため、ユーザごとに送信波長が異なるＯＮＵを用意しなければならず、ユーザの利便性や保守運用性に欠けることになる。このため、波長を意識することなく使いやすいＯＮＵを実現するには、ＯＮＵを単一品種化し、局側（ＯＬＴ側）からＯＮＵの送信波長を設定できるようにする必要があり、このような機能を実現する技術をＯＮＵのカラーレス技術と呼んでいる。
【０００８】
カラーレス技術は、自発光方式と搬送波供給方式に大別できる。自発光方式は、図２(a) に示すように、ＯＮＵ自身に波長選択性をもつ光源が搭載されており、開通時に局側から各ＯＮＵの送信波長を設定する。ここでは、ＯＮＵ２０−１〜２０−ｎの送信器がそれぞれ波長λu1〜λunの上り信号を送信する。
【０００９】
搬送波供給方式は、図２(b) に示すように、ＯＮＵ２０−１〜２０−ｎの送信器に光変調器が搭載されており、ＯＬＴ１０の光源から送信された波長λu1〜λunのＣＷ光を波長スプリッタ３３で波長分波し、各ＯＮＵに供給される各波長のＣＷ光を変調して上り信号を生成している。例えば、ＯＮＵ２０−１に波長λd1の下り信号と波長λu1のＣＷ光が入力し、波長λu1のＣＷ光を変調して上り信号として折り返す構成を示す。
【００１０】
図３は、既存ＰＯＮ（ＧＥ−ＰＯＮ）とＷＤＭ−ＰＯＮが共存するシステム構成例を示す。ここでは、既存ＰＯＮの光スプリッタはパワースプリッタであるため、共存するＷＤＭ−ＰＯＮは図１(b) に示すパワースプリッタ３４を用いた構成となる。
【００１１】
図において、ＧＥ−ＰＯＮに対応するＯＬＴ（ＧＥ−ＯＬＴ）とＯＮＵ（ＧＥ−ＯＮＵ）、ＷＤＭ−ＰＯＮで波長λ1 を占有するＯＬＴ（λ1 −ＯＬＴ）とＯＮＵ（λ1 −ＯＮＵ）、ＷＤＭ−ＰＯＮで波長λ2 を占有するＯＬＴ（λ2 −ＯＬＴ）とＯＮＵ（λ2 −ＯＮＵ）は、波長合分波器３５、光ファイバ伝送路３１、パワースプリッタ３４、光ファイバ伝送路３２を介して接続される。ＧＥ−ＰＯＮは、１波長を複数のＯＮＵで共用し、複数のＯＮＵで帯域を時間的にシェアする帯域共有サービスである。ＷＤＭ−ＰＯＮは、ＧＥ−ＰＯＮとは別の波長帯でＯＮＵごとに１つの波長λ１，λ２を割り当て、各波長ごとに伝送速度の設定が可能な帯域占有サービスである。
【００１２】
図３に示すパワースプリッタ型ＷＤＭ−ＰＯＮにおいて、搬送波供給方式のカラーレスＯＮＵの送信器は、図２(b) に示す波長スプリッタ型対応で分波された波長のＣＷ光をそのまま変調して折り返す構成と異なり、ＯＬＴの光源から各ＯＮＵに供給される波長λu1〜λunのＣＷ光の中から任意の波長のＣＷ光を選択するために、波長可変フィルタが用いられる。しかし、応答性が高く、広帯域で選択波長を可変できる安価な波長可変フィルタを実現することは困難であり、パワースプリッタ型ＷＤＭ−ＰＯＮおよび搬送波供給方式に対応するカラーレスＯＮＵを実現する上で課題になっていた。
【００１３】
本発明は、波長可変フィルタを用いずにパワースプリッタ型ＷＤＭ−ＰＯＮおよび搬送波供給方式に対応するカラーレスＯＮＵを実現できる光通信システム、ＯＮＵの送信器、ＯＬＴの受信器、およびＯＮＵの上り信号送信方法を提供することを目的とする。
【課題を解決するための手段】
【００１４】
第１の発明は、局側に配置されるＯＬＴと、複数のユーザ側にそれぞれ配置されるＯＮＵがパワースプリッタおよび光ファイバ伝送路を介して接続された光通信システムにおいて、各ＯＮＵは、互いに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、局側のＷＤＭ光源から出力された複数の波長成分を有するＣＷ光をパワースプリッタを介して入力し、ＲＦ変調信号でＣＷ光を変調した変調光を上り信号としてＯＬＴに送信する光変調器とを含む送信器を備え、ＯＬＴは、各ＯＮＵからそれぞれ送信された上り信号をパワースプリッタを介してサブキャリア多重された上り信号として受光して電気信号に変換する受光器と、各ＯＮＵに割り当てられたサブキャリア周波数に基づいて電気信号から各ＯＮＵの送信信号を復調する各ＯＮＵ対応のＲＦ復調器とを含む受信器を備える。
【００１５】
各ＯＮＵの光変調器は、上り信号を増幅する光増幅器を含む構成としてもよい。ＯＬＴは、受光器の前段に、複数の波長成分を有する上り信号が光ファイバ伝送路の波長分散によって生じた遅延差を補償する遅延補償器を備える構成としてもよい。
【００１６】
また、ＯＬＴは、複数の波長成分を有する上り信号を各波長成分に分波する波長分波器と、各ＯＮＵ対応の受光器とを備え、波長分波器で分波された各波長成分の上り信号を各ＯＮＵ対応の受光器でそれぞれ電気信号に変換し、各ＯＮＵ対応のＲＦ復調器で復調する構成としてもよい。
【００１７】
第２の発明は、第１の発明の光通信システムのＯＮＵの送信器において、各ＯＮＵに対して互いに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、局側のＷＤＭ光源から出力された複数の波長成分を有するＣＷ光をパワースプリッタを介して入力し、ＲＦ変調信号でＣＷ光を変調した変調光を上り信号としてＯＬＴに送信する光変調器とを備える。
【００１８】
第３の発明は、第１の発明の光通信システムのＯＬＴの受信器において、各ＯＮＵからそれぞれ送信された上り信号をパワースプリッタを介してサブキャリア多重された上り信号として受光して電気信号に変換する受光器と、各ＯＮＵに割り当てられたサブキャリア周波数に基づいて電気信号から各ＯＮＵの送信信号を復調する各ＯＮＵ対応のＲＦ復調器とを備える。
【００１９】
第４の発明は、第１の発明の光通信システムのＯＮＵの上り信号送信方法において、各ＯＮＵに対して互いに異なる少なくとも１つのサブキャリア周波数が割り当てられたＲＦ変調手段が、それぞれ割り当てられたサブキャリア周波数のＲＦ搬送波を送信信号で変調したＲＦ変調信号を生成し、局側のＷＤＭ光源から出力された複数の波長成分を有するＣＷ光をパワースプリッタを介して入力する光変調器が、ＲＦ変調信号でＣＷ光を変調した変調光を生成し、上り信号としてＯＬＴに送信する。
【発明の効果】
【００２０】
本発明は、互いに異なるサブキャリア周波数を利用する各ＯＮＵにおいて、サブキャリア周波数のＲＦ搬送波を送信信号で変調したＲＦ変調信号を生成し、ＷＤＭ光源から与えられる複数の波長成分を有するＣＷ光に対して一括してＲＦ変調信号で変調し、上り信号を生成する。各ＯＮＵから送信された上り信号は、パワースプリッタを介してサブキャリア多重された上り信号としてＯＬＴに入力される。ＯＬＴでは、この上り信号を電気信号に変換し、各ＯＮＵに割り当てられたサブキャリア周波数に基づいて電気信号から各ＯＮＵの送信信号を復調する。
【００２１】
このように、ＲＦ搬送波のサブキャリア周波数を各ＯＮＵとＯＬＴの各ＲＦ復調器で対応させることにより、ＯＮＵとＲＦ変調器が１対１に対応し、波長可変フィルタを用いずにパワースプリッタ型ＷＤＭ−ＰＯＮおよび搬送波供給方式に対応するカラーレスＯＮＵを実現することができる。なお、ＯＮＵに電子回路からなるＲＦ変調手段をもたせた方が、ＯＮＵに光モジュールである波長可変フィルタをもたせるよりも圧倒的に安価なＯＮＵを実現することができる。
【発明を実施するための最良の形態】
【００２２】
（第１の実施形態）
図４は、本発明の光通信システムの第１の実施形態を示す。
図において、局側に配置されるＯＬＴ１０と、複数のユーザ側にそれぞれ配置されるＯＮＵ２０−１〜２０−ｎは、光ファイバ伝送路３１，３２およびパワースプリッタ３４を介して１対ｎに接続され、ＯＬＴ１０のＷＤＭ光源１１から出力される波長λ1 〜λn のＣＷ光（連続光）は分波されることなく各ＯＮＵに到着する。ＯＮＵ２０−１〜２０−ｎの送信器に光変調器が搭載されており、ＯＬＴ１０のＷＤＭ光源１１から各ＯＮＵに供給される波長λ1 〜λn のＣＷ光を変調して上り信号を生成する。ここでは、ＯＮＵ２０−１〜２０−ｎの送信器および各ＯＮＵに対応する上り信号を受信するＯＬＴ１０の受信器の構成例を示し、下り信号の伝送系であるＯＬＴ１０の送信器およびＯＮＵ２０−１〜２０−ｎの受信器の構成は省略している。
【００２３】
なお、本実施形態では、ＯＬＴ１０内にＷＤＭ光源１１を備え、ＷＤＭ光源１１から出力される波長λ1 〜λn のＣＷ光を光ファイバ伝送路３１に入力し、下り信号とともにパワースプリッタ３４を介してＯＮＵ２０−１〜２０−ｎに供給する例を示したが、ＷＤＭ光源１１はＯＬＴ１０の外部にあってもよく、また下り信号とは別の経路で各ＯＮＵに供給する構成であってもよい。以下に示す他の実施形態においても同様である。
【００２４】
ＯＮＵ２０−ｎの送信器は、乗算器２１でサブキャリア周波数ｆn のＲＦ搬送波にベースバンド送信信号を重畳し、フィルタ２２で乗算器２１から出力されるＲＦ変調信号の片側帯波およびＲＦ搬送波成分を切り出し、増幅器２３で増幅して光変調器２４に入力する構成である。光変調器２４は、波長λ1 〜λn のＣＷ光をサブキャリア周波数ｆn のＲＦ変調信号で一括して光変調して変調光を出力する。なお、フィルタ２２は省いてもよい。
【００２５】
ここで、ＯＮＵ２０−１〜２０−ｎの各送信器でベースバンド送信信号が重畳されるＲＦ搬送波は、互いに異なるサブキャリア周波数ｆ1 〜ｆn が用いられる。したがって、パワースプリッタ３４で各ＯＮＵからの上り信号（変調光）が合流したときに、波長λ1 〜λn のＣＷ光に対してそれぞれサブキャリア周波数ｆ1 〜ｆn の変調成分がサブキャリア多重された状態になる。
【００２６】
ＯＬＴ１０の受信器は、受信する変調光を受光器１２で電気信号に変換し、増幅器１３で増幅し、増幅した電気信号を分配器１４で各ＯＮＵ対応の中心周波数ｆ1 〜ｆn のＲＦ復調器１５−１〜１５−ｎに分配する構成である。中心周波数ｆn のＲＦ復調器１５−ｎは、波長λ1 〜λn の変調光に対応する電気信号からサブキャリア周波数ｆn 成分を復調することにより、ＯＮＵ２０−ｎから送信されたベースバンド送信信号を抽出する。
【００２７】
このように、ＲＦ搬送波のサブキャリア周波数ｆ1 〜ｆn をＯＮＵ２０−１〜２０−ｎとＯＬＴ１０のＲＦ復調器１５−１〜１５−ｎで対応させることにより、ＯＮＵとＲＦ変調器が１対１に対応し、波長可変フィルタを用いずにパワースプリッタ型ＷＤＭ−ＰＯＮおよび搬送波供給方式に対応するカラーレスＯＮＵを実現することができる。
【００２８】
なお、ＷＤＭ光源１１に代えて１波長のＣＷ光を出力する光源を用い、各ＯＮＵで１波長のＣＷ光をそれぞれサブキャリア周波数ｆ1 〜ｆn のＲＦ変調信号で変調する構成としても、波長可変フィルタを用いないカラーレスＯＮＵの実現は可能である。それに対して、図１に示すように、例えばＯＮＵ２０−ｎにおいて、波長λ1 〜λn のＣＷ光をサブキャリア周波数ｆn のＲＦ変調信号で一括して光変調し、ＯＬＴ１０の中心周波数ｆn のＲＦ復調器１５−ｎにおいて、波長λ1 〜λn の変調光に対応する電気信号から周波数ｆn 成分を復調することにより、１波長を用いる構成に比べてｎ倍のＳＮ比を確保することができる。
【００２９】
（第２の実施形態）
図５は、本発明の光通信システムの第２の実施形態を示す。
本実施形態は、ＯＬＴ１０とＯＮＵ２０−１〜２０−ｎとの間の伝送路である光ファイバが長延化された場合などにより、光損失が大きくなるとともに光ファイバの波長分散の影響が大きくなる場合に対応するものである。
【００３０】
図において、ＯＮＵ２０−１〜２０−ｎの送信器には、光変調器２４の後段に光増幅器２５を配置する他は図４の第１の実施形態と同様である。なお、光変調器２４および光増幅器２５に代えて、光増幅機能をもつ光変調器を用いてもよい。
【００３１】
ＯＬＴ１０の受信器には、光ファイバ伝送路３１，３２およびパワースプリッタ３４の波長分散により、複数の波長成分を有する上り信号に生じた遅延差を補償するために、受光器１２の前段に遅延補償器４０を配置し、波長ごとに遅延調整した変調光を受光器１２に入力する構成とする。その他の構成は図４の第１の実施形態と同様である。遅延補償器４０は、例えば図６に示すように、波長分波器４１、遅延線４２、波長合波器４３を用い、波長ごとに異なる遅延を遅延線４２で補正する構成とする。また、遅延補償器４０は、光サーキュレータと波長対応の遅延量を与えるファイバグレーティングを用いた構成や、光ファイバ伝送路３１，３２の逆分散特性を有する光ファイバを用いてもよい。
【００３２】
なお、本実施形態では、光損失の増大と光ファイバの波長分散の双方に対応する構成を示したが、光損失の増大に対応する光増幅器２５と、伝送路の波長分散に対応する遅延補償器４０を個別に配置する構成としてもよい。
【００３３】
（第３の実施形態）
図７は、本発明の光通信システムの第３の実施形態を示す。
本実施形態は、第１の実施形態のＯＬＴ１０の構成を変更したものであるが、ＯＮＵ２０−１〜２０−ｎとＲＦ搬送波のサブキャリア周波数ｆ1 〜ｆn を１対１に対応させ、よってＯＮＵ２０−１〜２０−ｎとＯＬＴ１０の中心周波数ｆ1 〜ｆn のＲＦ復調器１５−１〜１５−ｎを１対１で対応させるところは同じである。
【００３４】
本実施形態のＯＬＴ１０は、上り信号として入力する波長λ1 〜λn の変調光を波長フィルタ１６で各波長に分波し、各波長の変調光をそれぞれ対応するＯＳＵ(Optical Subscriber Unit：光加入者線終端装置) １７−１〜１７−ｎに入力する。例えばＯＳＵ１７−ｎの受信器は、受信する波長λn の変調光を受光器１２で電気信号に変換し、増幅器１３で増幅し、増幅した電気信号を中心周波数ｆn のＲＦ復調器１５−ｎに入力する構成である。中心周波数ｆn のＲＦ復調器１５−ｎは、波長λn の変調光に対応する電気信号から周波数ｆn 成分を復調することにより、ＯＮＵ２０−ｎから送信されたベースバンド送信信号を抽出する。なお、本実施形態においてもＯＳＵの下り信号の送信系の構成は省略している。
【００３５】
また、第１の実施形態は、波長λ1 〜λn の各変調光から例えば周波数ｆn のＲＦ周波数成分を受信する構成であるが、本実施形態は、例えば波長λn の変調光から周波数ｆn のＲＦ周波数成分を受信する構成であり、受信信号のＳＮ比は第１の実施形態の方が優れている。
【００３６】
（第４の実施形態）
第１〜第３の実施形態では、ＯＮＵ２０−１〜２０−ｎとＲＦ搬送波のサブキャリア周波数ｆ1 〜ｆn を１対１に対応させ、よってＯＮＵ２０−１〜２０−ｎとＯＬＴ１０の中心周波数ｆ1 〜ｆn のＲＦ復調器１５−１〜１５−ｎを１対１で対応させていた。
【００３７】
第１〜第３の実施形態において、各ＯＮＵに割り当てるＲＦ搬送波のサブキャリア周波数を複数とし、例えば互いに異なるサブキャリア周波数のＲＦ搬送波に複数のベースバンド送信信号を重畳した複数のＲＦ変調信号を多重し、多重ＲＦ変調信号で波長λ1 〜λn のＣＷ光を変調する。ＯＮＵの送信器の一例を図８に示す。図８では、ベースバンド送信信号ａ，ｂをそれぞれサブキャリア周波数ｆa,ｆb のＲＦ搬送波で変調したＲＦ変調信号を加算器２６で加算し、多重ＲＦ変調信号としている。一方、ＯＬＴ１０においても各ＯＮＵごとに中心周波数をそれぞれ対応させたＲＦ復調器を用いることにより、各ＯＮＵに割り当てる帯域の増大が可能となる。
【００３８】
また、各ＯＮＵに割り当てる複数のＲＦ搬送波のサブキャリア周波数を固定的ではなく、ＯＬＴからの制御信号により動的に変更することにより、各ＯＮＵに割り当てる帯域を可変制御することができる。例えば、ＯＮＵの変調方式にＯＦＤＭ（Orthogonal Frequency Division Multiplexing) を利用し、ＯＦＤＭの各周波数成分をＯＮＵとＯＬＴのＲＦ復調器との間で割り当てることにより、帯域割り当てのきめ細かい制御が可能となる。
【図面の簡単な説明】
【００３９】
【図１】ＷＤＭ−ＰＯＮシステムの構成例を示す図。
【図２】カラーレスＯＮＵを用いたＷＤＭ−ＰＯＮシステムの構成例を示す図。
【図３】既存ＰＯＮ（ＧＥ−ＰＯＮ）とＷＤＭ−ＰＯＮが共存するシステム構成例を示す図。
【図４】本発明の光通信システムの第１の実施形態を示す図。
【図５】本発明の光通信システムの第２の実施形態を示す図。
【図６】遅延補償器４０の構成例を示す図。
【図７】本発明の光通信システムの第３の実施形態を示す図。
【図８】本発明の光通信システムの第４の実施形態におけるＯＮＵの送信器の一例を示す図。
【符号の説明】
【００４０】
１０  ＯＬＴ（光加入者線終端盤）
１１  ＷＤＭ光源
１２  受光器
１３  増幅器
１４  分配器
１５  ＲＦ復調器
１６  波長フィルタ
１７  ＯＳＵ（光加入者線終端装置）
２０  ＯＮＵ（光ネットワーク終端装置）
２１  乗算器
２２  フィルタ
２３  増幅器
２４  光変調器
２５  光増幅器
２６  加算器
３１，３２  光ファイバ伝送路
３３  波長スプリッタ
３４  パワースプリッタ
３５  波長合分波器
４０  遅延補償器
４１  波長分波器
４２  遅延線
４３  波長合波器
【図１】
2010114623.tif 000003
【図２】
2010114623.tif 000004
【図３】
2010114623.tif 000005
【図４】
2010114623.tif 000006
【図５】
2010114623.tif 000007
【図６】
2010114623.tif 000008
【図７】
2010114623.tif 000009
【図８】
2010114623.tif 000010